(57)【要約】【課題】薬剤が効能を発揮する器官を患者等に容易に理解させることが可能な薬剤包装体を提供する。【解決手段】薬剤包装体１は、第１シート３及び第２シート４を備える。第１シート３は、薬剤である錠剤２を収容する収容空間９の一部を区画形成する第１収容部５と、第１収容部５の周囲に設けられる第１貼着部６と、を有する。第２シート４は、収容空間９の他部を区画形成する第２収容部７と、第２収容部７の周囲に設けられ第１貼着部６に貼着される第２貼着部８と、を有する。錠剤２が効能を発揮する器官の形状を表示する器官表示部１０が、第１収容部５に設けられている。【選択図】図１
2017221621.tif 000002
【特許請求の範囲】
【請求項１】
薬剤包装体であって、
薬剤を収容する収容空間の一部を区画形成する第１収容部と、前記第１収容部の周囲に設けられる第１貼着部と、を有する第１シートと、
前記収容空間の他部を区画形成する第２収容部と、前記第２収容部の周囲に設けられ前記第１貼着部に貼着される第２貼着部と、を有する第２シートと、を備え、
前記薬剤が効能を発揮する器官の形状を表示する器官表示部が、前記第１収容部に設けられていることを特徴とする薬剤包装体。
【請求項２】
前記器官表示部は、前記器官の輪郭を表示することを特徴とする請求項１に記載の薬剤包装体。
【請求項３】
前記第１収容部は、
前記第１貼着部から立ち上がる側面部と、
間隔を空けて前記第２収容部と対向する蓋部と、
前記側面部と前記蓋部とを連接する連接部と、を有し、
前記連接部が前記器官の輪郭を呈していることを特徴とする請求項２に記載の薬剤包装体。
【請求項４】
前記蓋部に溝が形成されていることを特徴とする請求項３に記載の薬剤包装体。
【発明の詳細な説明】
【技術分野】
【０００１】  本発明は、薬剤包装体に関する。
【背景技術】
【０００２】  薬剤の変質や破損の防止に用いられる薬剤包装体が普及している。例えば、特許文献１には、ＰＴＰ（Ｐｒｅｓｓ  Ｔｈｒｏｕｇｈ  Ｐａｃｋ）シートと称される薬剤包装体が記載されている。当該薬剤包装体は、２枚のシートの間に薬剤の収容空間を形成している。
【先行技術文献】
【特許文献】
【０００３】
【特許文献１】特開２０１４−９８０号公報
【発明の概要】
【発明が解決しようとする課題】
【０００４】  従来の薬剤包装体では、患者や医療従事者による薬剤の取り違えを防止するために、シートに薬剤の名称を印刷することが一般的になっている。しかしながら、患者等が薬剤の知識に乏しい者である場合、当該名称を読み取ることができても、薬剤が効能を発揮する器官を理解することが困難である。この結果、薬剤の誤用を招くおそれがあった。【０００５】  本発明はこのような課題に鑑みてなされたものであり、その目的は、薬剤が効能を発揮する器官を患者等に容易に理解させることが可能な薬剤包装体を提供することにある。
【課題を解決するための手段】
【０００６】  上記課題を解決するために、本発明に係る薬剤包装体は、薬剤を収容する収容空間の一部を区画形成する第１収容部と、第１収容部の周囲に設けられる第１貼着部と、を有する第１シートと、収容空間の他部を区画形成する第２収容部と、第２収容部の周囲に設けられ第１貼着部に貼着される第２貼着部と、を有する第２シートと、を備える。薬剤が効能を発揮する器官の形状を表示する器官表示部が、第１収容部に設けられている。【０００７】  上記構成では、薬剤が効能を発揮する器官の形状を表示する器官表示部が設けられている。したがって、上記構成によれば、患者等は、器官表示部による表示に基づいて、薬剤が効能を発揮する器官を視覚的且つ容易に理解することができる。【０００８】  ところで、薬剤包装体は、持ち運びや保管を容易にするために、第１貼着部や第２貼着部において切り離されることがある。仮に、器官表示部が第１貼着部や第２貼着部に設けられていると、切り離しの際に器官表示部が欠損するおそれがある。【０００９】  そこで、上記構成では、器官表示部は第１収容部に設けられている。第１収容部は、収容空間の一部を区画形成する。したがって、薬剤包装体が第１貼着部や第２貼着部において切り離された場合でも、器官表示部が欠損することはない。この結果、薬剤が効能を発揮する器官を、患者等に理解させることが可能になる。【００１０】  なお、本明細書における「器官」は、胃、脳、肝臓、肺、血管等の人体内のもののみならず、耳、足、手等も含む。【００１１】  また、本明細書における「効能を発揮する器官」は、薬剤の提供者が、当該薬剤が効能を発揮することを期待する器官を意味する。例えば、所謂胃薬の「効能を発揮する器官」は胃である。薬剤の効能の程度は、患者ごとに異なる。この点、本明細書における「効能を発揮する器官」は、あらゆる患者の当該器官において、薬剤の効能が発揮されることを必要としない。【００１２】  ところで、薬剤が効能を発揮する器官を患者等に理解させる観点では、器官表示部は、当該器官の形状を詳細に表示していることが好ましい。一方、器官表示部による器官の表示が過度に詳細であると、器官表示部を設けるための製造工程や製造装置が複雑になるおそれがある。【００１３】  そこで、器官表示部は、器官の輪郭を表示してもよい。この構成によれば、薬剤包装体を容易に製造しながらも、薬剤が効能を発揮する器官を患者等に確実に理解させることが可能になる。【００１４】  また、第１収容部は、第１貼着部から立ち上がる側面部と、間隔を空けて第２収容部と対向する蓋部と、側面部と蓋部とを連接する連接部と、を有し、連接部が器官の輪郭を呈していてもよい。連接部は、側面部と蓋部との間の形状変化が生じる部分であるため、患者等に視認され易い。このような連接部が器官の輪郭を呈していることにより、器官表示部は当該器官の輪郭を明確に表示することができる。この結果、薬剤が効能を発揮する器官を患者等に確実に理解させることが可能になる。【００１５】  また、蓋部に溝が形成されていてもよい。この構成によれば、実際の器官に存在する凹凸を、溝によって模すことが可能になる。この結果、簡易な構成ながらも、器官の形状を詳細に表示し、当該器官���患者等に確実に理解させることが可能になる。
【発明の効果】
【００１６】  本発明によれば、薬剤が効能を発揮する器官を患者等に容易に理解させることが可能な薬剤包装体を提供することができる。
【図面の簡単な説明】
【００１７】
【図１】第１実施形態に係る薬剤包装体を示す平面図である。
【図２】図１のＩＩ−ＩＩ断面を示す断面図である。
【図３】第１実施形態の変形例に係る薬剤包装体を示す平面図である。
【図４】第２実施形態に係る薬剤包装体を示す平面図である。
【図５】第３実施形態に係る薬剤包装体を示す平面図である。
【図６】第４実施形態に係る薬剤包装体を示す平面図である。
【発明を実施するための形態】
【００１８】  以下、添付図面を参照しながら本発明の実施形態について説明する。説明の理解を容易にするため、各図面において同一の構成要素に対しては可能な限り同一の符号を付して、重複する説明は省略する。
【００１９】  図１及び図２を参照しながら、第１実施形態に係る薬剤包装体１について説明する。薬剤包装体１は、ＰＴＰシートと称され、複数の錠剤２の包装に用いられる。錠剤２が効能を発揮する器官は脳である。すなわち、錠剤２は、脳において効能を発揮することを期待され、患者に提供される薬剤である。
【００２０】  薬剤包装体１は、第１シート３と第２シート４とを備える。第１シート３は、ポリエチレンやポリ塩化ビニル等の透明性が高い樹脂材料によって形成されている。第１シート３は、第１収容部５と第１貼着部６とを有している。第１貼着部６は薄膜状に形成されている。第１収容部５は、例えば真空成型により、薄膜の複数個所を同一方向に膨出させることによって形成されている。第２シート４は、薄膜状のアルミ箔である。
【００２１】  薬剤包装体１は、第１シート３に第２シート４を貼着することによって形成される。第２シート４の貼着は、接着剤を用いた接着や、第１シート３を溶融させることによる溶着等、種々の方法によって行うことができる。
【００２２】  薬剤包装体１の製造工程では、第１シート３の第１収容部５の内部に錠剤２を配置するとともに、その第１シート３に第２シート４を貼着する。図２に示されるように、第２シート４は、第２貼着部８において第１シート３の第１貼着部６に貼着される。これにより、第１シート３の第１収容部５と、第２シート４と、の間に、錠剤２を収容する収容空間９が形成される。収容空間９は、その一部が第１シート３の第１収容部５によって区画形成され、他部が第２シート４の第２収容部７によって区画形成される。
【００２３】  本実施形態では、器官表示部１０が第１収容部５に設けられている。詳細には、第１収容部５が器官表示部１０としても機能している。器官表示部１０は、錠剤２が効能を発揮する器官の形状を表示する。すなわち、本実施形態では、器官表示部１０は脳を表示している。
【００２４】  第１収容部５は、側面部５１、蓋部５２、及び連接部５３を有している。側面部５１は、第１貼着部６から略垂直に立ち上がり、筒形状を呈している。蓋部５２は、間隔を空けて第２収容部７と対向している。蓋部５２は、第２収容部７とは反対の方向に突出するように湾曲している。連接部５３は、側面部５１の端部と蓋部５２の端部とを連接している。連接部５３が脳の輪郭を呈することによって、器官表示部１０は脳の輪郭を表示している。
【００２５】  また、蓋部５２には、溝５４，５５が形成されている。溝５４，５５は、いずれも周囲と不連続な曲率によって形成された面である。溝５４は、蓋部５２の中央部を横断するように形成されている。溝５４は、右脳と左脳との境界を模している。溝５５は、溝５４によって区画された各部位に複数形成されており、脳溝を模している。溝５４，５５は、第１収容部５の真空成型に用いられる金型に突起を形成しておくとともに、当該突起の形状を第１収容部５に転写することによって形成できる。
【００２６】  錠剤２を服用しようとする患者は、薬剤包装体１から錠剤２を取り出す際に、蓋部５２を手指で第２収容部７側に押す。これにより、蓋部５２によって押された錠剤２が第２収容部７を突き破り、収容空間９から錠剤２が排出される。
【００２７】  また、図１に示されるように、第１シート３の第１貼着部６に複数のスリット３１が形成されている。スリット３１は、第１シート３を、２つの収容空間９を含む小単位ごとに区分している。薬剤包装体１は、スリット３１に沿って折り曲げられることによって、小単位ごとに切り離せるように構成されている。
【００２８】  この薬剤包装体１の構成では、錠剤２が効能を発揮する器官である脳の形状を表示する器官表示部１０が設けられている。したがって、上記構成によれば、患者等は、器官表示部１０による表示に基づいて、錠剤２が効能を発揮する器官である脳を視覚的且つ容易に理解することが可能になる。すなわち、患者等は、錠剤２が、脳においてその効能を発揮する薬剤であることを、視覚的且つ容易に理解することが可能になる。
【００２９】  また、器官表示部１０は第１収容部５に設けられている。第１収容部５は、収容空間９の一部を区画形成する。したがって、薬剤包装体１がスリット３１において小単位ごとに切り離された場合でも、器官表示部１０が欠損することはない。この結果、錠剤２が効能を発揮する器官が脳であることを、患者等に理解させることが可能になる。
【００３０】  また、器官表示部１０は、脳の輪郭を表示している。この構成によれば、薬剤包装体１を容易に製造しながらも、錠剤２が効能を発揮する器官である脳を患者等に確実に理解させることが可能になる。
【００３１】  また、第１収容部５は、第１貼着部６から立ち上がる側面部５１と、間隔を空けて第２収容部７と対向する蓋部５２と、側面部５１と蓋部５２とを連接する連接部５３と、を有する。連接部５３が脳の輪郭を呈している。連接部５３は、側面部５１と蓋部５２との間の形状変化が生じる部分であるため、患者等に視認され易い。このような連接部５３が脳の輪郭を呈していることにより、器官表示部１０は脳の輪郭を明確に表示することができる。この結果、錠剤２が効能を発揮する器官が脳であることを、患者等に確実に理解させることが可能になる。
【００３２】  また、蓋部５２に溝５４，５５が形成されている。この構成によれば、実際の脳に存在する凹凸を、溝５４，５５によって模すことが可能になる。この結果、簡易な構成ながらも、脳の形状を詳細に表示し、錠剤２が効能を発揮する器官が脳であることを、患者等に確実に理解させることが可能になる。
【００３３】  尚、脳の表示は、図１及び図２に示されるものに限定されない。図３は、第１実施形態の変形例に係る薬剤包装体１Ａを示している。薬剤包装体１Ａの構成のうち、第１実施形態の構成と同一のものは同一の符号を付し、その説明を適宜省略する。
【００３４】  薬剤包装体１Ａでは、第１収容部５Ａが器官表示部１０Ａとして機能している。この薬剤包装体１Ａの器官表示部１０Ａも、第１収容部５Ａの側面部５１Ａ、蓋部５２Ａ、及び連接部５３Ａによって脳の形状を表示している。また、蓋部５２Ａを横断する溝５４Ａが、右脳と左脳との境界を模している。器官表示部１０Ａは、第１実施形態と比べて緩慢な線によって脳の形状を表示している。
【００３５】  すなわち、器官表示部１０，１０Ａによる表示は、それを視認した患者等の大半が、脳を想起できるものであれば、種々の態様のものを採用することができる。
【００３６】  次に、第２実施形態に係る薬剤包装体１Ｂについて、図４を参照しながら説明する。この薬剤包装体１Ｂは、複数の錠剤２Ｂの包装に用いられる。薬剤包装体１Ｂの構成のうち、第１実施形態の構成と同一のものは同一の符号を付し、その説明を適宜省略する。
【００３７】  錠剤２Ｂは、制酸剤、消化酵素、粘膜修復剤、及び鎮痙剤を含有している。患者が錠剤２Ｂを服用することにより、胃痛が軽減される。すなわち、錠剤２Ｂが効能を発揮する器官は胃であり、当該効能は胃痛の軽減である。薬剤包装体１Ｂでは、第１収容部５Ｂが器官表示部１０Ｂとして機能し、胃の形状を表示している。
【００３８】  第１収容部５Ｂの連接部５３Ｂが胃の輪郭を呈している。連接部５３Ｂは、側面部５１Ｂと蓋部５２Ｂとを連接している。第１収容部５Ｂは、その２つの端部が狭窄しており、全体として胃の形状を模している。薬剤包装体１Ｂのこのような構成により、患者等は、錠剤２Ｂが効能を発揮する器官が胃であることを容易に理解することができる。
【００３９】  次に、第３実施形態に係る薬剤包装体１Ｃについて、図５を参照しながら説明する。この薬剤包装体１Ｃは、複数の錠剤２Ｃの包装に用いられる。薬剤包装体１Ｃの構成のうち、第１実施形態の構成と同一のものは同一の符号を付し、その説明を適宜省略する。
【００４０】  錠剤２Ｃが効能を発揮する器官は肺である。薬剤包装体１Ｃでは、第１収容部５Ｃａ，５Ｃｂが器官表示部１０Ｃａ，１０Ｃｂとして機能し、肺の形状を表示している。
【００４１】  第１収容部５Ｃａの連接部５３Ｃａが右肺の輪郭を呈している。連接部５３Ｃａは、側面部５１Ｃａと蓋部５２Ｃａとを連接している。また、第１収容部５Ｃｂの連接部５３Ｃｂが左肺の輪郭を呈している。連接部５３Ｃｂは、側面部５１Ｃｂと蓋部５２Ｃｂとを連接している。薬剤包装体１Ｃのこのような構成により、患者等は、錠剤２Ｃが効能を発揮する器官が肺であることを容易に理解することができる。
【００４２】  次に、第４実施形態に係る薬剤包装体１Ｄについて、図６を参照しながら説明する。この薬剤包装体１Ｄは、複数の錠剤２Ｄの包装に用いられる。薬剤包装体１Ｄの構成のうち、第１実施形態の構成と同一のものは同一の符号を付し、その説明を適宜省略する。
【００４３】  錠剤２Ｄが効能を発揮する器官は耳である。薬剤包装体１Ｄでは、第１収容部５Ｄａ，５Ｄｂが器官表示部１０Ｄａ，１０Ｄｂとして機能し、耳介の形状を表示している。第１収容部５Ｄａの連接部５３Ｄａが右耳の耳介の輪郭を呈している。連接部５３Ｄａは、側面部５１Ｄａと蓋部５２Ｄａとを連接している。また、第１収容部５Ｄｂの連接部５３Ｄｂが左耳の耳介の輪郭を呈している。連接部５３Ｄｂは、側面部５１Ｄｂと蓋部５２Ｄｂとを連接している。
【００４４】  さらに、蓋部５２Ｄａに溝５４Ｄが形成され、蓋部５２Ｄｂに溝５５Ｄが形成されている。溝５４Ｄ，５５Ｄは、いずれも耳介の舟状窩を模している。器官表示部１０Ｄａ，１０Ｄｂは、この溝５４Ｄ，５５Ｄにより、耳介の形状を詳細に表示している。薬剤包装体１Ｄのこのような構成により、患者等は、錠剤２Ｄが効能を発揮する器官が耳であることを容易に理解することができる。
【００４５】  以上、具体例を参照しつつ本発明の実施形態について説明した。しかし、本発明はこれらの具体例に限定されない。すなわち、これら具体例に、当業者が適宜設計変更を加えたものも、本発明の特徴を備えている限り、本発明の範囲に包含される。前述した各具体例が備える各要素及びその配置、材料、条件、形状、サイズ等は、例示したものに限定されず、適宜変更することができる。
【００４６】  上記実施形態では、薬剤包装体の例としてＰＴＰ包装シートを用いている。しかし、本発明はこの態様に限定されない。すなわち、本発明は、ＳＰ（Ｓｔｒｉｐ  Ｐａｃｋａｇｅ）シート等、他の形態の包装にも適用することができる。
【００４７】  また、上記実施形態では、薬剤の例として錠剤を用いている。しかし、本発明はこの態様に限定されない。すなわち、本発明は、顆粒薬や粉薬等、他の形態の薬剤にも適用することができる。
【符号の説明】
【００４８】１，１Ａ，１Ｂ，１Ｃ，１Ｄ：薬剤包装体
２，２Ｂ，２Ｃ，２Ｄ：錠剤（薬剤）
３：第１シート
４：第２シート
５，５Ａ，５Ｂ，５Ｃａ，５Ｃｂ，５Ｄａ，５Ｄｂ：第１収容部
６：第１貼着部
７：第２収容部
８：第２貼着部
９：収容空間
１０，１０Ａ，１０Ｂ，１０Ｃａ，１０Ｃｂ，１０Ｄａ，１０Ｄｂ：器官表示部
５１，５１Ａ，５１Ｂ，５１Ｃａ，５１Ｃｂ，５１Ｄａ，５１Ｄｂ：側面部
５２，５２Ａ，５２Ｂ，５２Ｃａ，５２Ｃｂ，５２Ｄａ，５２Ｄｂ：蓋部
５３，５３Ａ，５３Ｂ，５３Ｃａ，５３Ｃｂ，５３Ｄａ，５３Ｄｂ：連接部
５４，５５，５４Ａ，５４Ｄ，５５Ｄ：溝
【図１】
2017221621.tif 000003
【図２】
2017221621.tif 000004
【図３】
2017221621.tif 000005
【図４】
2017221621.tif 000006
【図５】
2017221621.tif 000007
【図６】
2017221621.tif 000008